(57)【要約】【課題】搬送物を吊り上げるスリングなどの用途に用いるチェーンにおいて、簡便な構造で曲がり度合いを安定して規制することができるチェーンおよびそれを用いた連続搬送装置を提供する。【解決手段】複数のプレート部材を回動自在に連結したチェーンであって、前記プレート部材の横断面における外側もしくは内側に該プレート部材の軸方向にスライドする固定部材を配置し、前記固定部材が一方向にスライドして前記プレート部材同士を固定すると一定範囲以上曲がらない一方で、前記固定部材が他方向にスライドして前記プレート部材同士を開放すると自由に曲がることを特徴とするチェーンおよびそれを用いた連続搬送装置。【選択図】図１
2008285288.tif 000002
【特許請求の範囲】
【請求項１】
複数のプレート部材を回動自在に連結したチェーンであって、
前記プレート部材の横断面における外側もしくは内側に該プレート部材の軸方向にスライドする固定部材を配置し、
前記固定部材が一方向にスライドして前記プレート部材同士を固定すると一定範囲以上曲がらない一方で、前記固定部材が他方向にスライドして前記プレート部材同士を開放すると自由に曲がることを特徴とするチェーン。
【請求項２】
前記プレート部材の横断面がリブおよび／またはビートを有する平板状、円形状、Ｕ字状、Ｖ字状のいずれかであることを特徴とする請求項１に記載のチェーン。
【請求項３】
前記固定部材が前記プレート部材の横断面における外側に設けられ、該プレート部材の軸方向にスライド可能に配置されたソケットであることを特徴とする請求項１または請求項２に記載のチェーン。
【請求項４】
前記固定部材が、前記プレート部材の横断面における内側に設けられ、該プレート部材の軸方向にスライド可能に配置されたピンであることを特徴とする請求項１乃至請求項３のいずれか一項に記載のチェーン。
【請求項５】
前記プレート部材の端部を該プレート部材を連結する回動軸から突出させて、該回動軸の前後のスプロケット歯にプレート部材を接触させることにより、スプロケットからのチェーンの脱落を防止することを特徴とする請求項１乃至請求項４のいずれか一項に記載のチェーン。
【請求項６】
請求項１乃至請求項５のいずれか一項に記載のチェーンをモータで駆動するスプロケットに巻き付けて搬送することを特徴とする連続搬送装置。
【発明の詳細な説明】
【技術分野】
【０００１】
本発明は、搬送物を吊り上げるスリングや水平搬送などの用途に用いるチェーンおよびそれを用いた連続搬送装置に関する。
【背景技術】
【０００２】
チェーンは、搬送物を吊り上げるスリングや水平搬送などの用途に用いられている。
【０００３】
しかし、従来のチェーンは搬送物を吊り上げる際際に、チェーンがよじれて搬送物が回転して絡みつくため安全な作業ができないという問題点があった。
【０００４】
そこで、例えば下記特許文献１には、重量物を垂直に吊り上げる２本のスリング索の間にスペーサを設けてスリング間隔を固定することにより、よじれを防止するスリング索のよじれ防止具が提案されている。
【０００５】
しかし、この特許文献１に記載された方法では、スリングの間隔をあまり広くすることができないため、２本のスリング索が一緒に回転してよじれを生じて重量物が回転してしまうという問題点があった。
【０００６】
また、下記特許文献２には、チェーンスリングの上面部に複数のブロック体を備えることにより、チェーンの曲がり度合いを所定量以下に規制することができるスリングが提案されている。
【０００７】
しかし、この特許文献２に記載されたスリングは、チェーンスリングの上面に複数のブロック体を備えた複雑な構造であるうえ、ブロック体の断面が長方形であるためスリングが曲がる際にブロック体の角同士が接触するためブロック体の損耗が激しく、また、チェーンの曲がり度合いを安定して規制することができなかった。
【特許文献１】特開２００１−１９９６７１号公報
【特許文献２】特開２００３−１８２９６９号公報
【発明の開示】
【発明が解決しようとする課題】
【０００８】
本発明は、前述のような従来技術の問題点を解決し、搬送物を吊り上げるスリングや水平搬送などの用途に用いるチェーンにおいて、簡便な構造で曲がり度合いを安定して規制することができるうえ、チェーンを構成するプレート部材の破損を防止することができるチェーンおよびそれを用いた連続搬送装置を提供することを課題とする。
【課題を解決するための手段】
【０００９】
本発明は前述の課題を解決するために鋭意検討の結果なされたものであり、その要旨とするところは特許請求の範囲に記載した通りの下記内容である。
（１）複数のプレート部材を回動自在に連結したチェーンであって、
前記プレート部材の横断面における外側もしくは内側に該プレート部材の軸方向にスライドする固定部材を配置し、
前記固定部材が一方向にスライドして前記プレート部材同士を固定すると一定範囲以上曲がらない一方で、前記固定部材が他方向にスライドして前記プレート部材同士を開放すると自由に曲がることを特徴とするチェーン。
（２）前記プレート部材の横断面がリブおよび／またはビートを有する平板状、円形状、Ｕ字状、Ｖ字状のいずれかであることを特徴とする（１）に記載のチェーン。
（３）前記固定部材が前記プレート部材の横断面における外側に設けられ、該プレート部材の軸方向にスライド可能に配置されたソケットであることを特徴とする（１）または（２）に記載のチェーン。
（４）前記固定部材が、前記プレート部材の横断面における内側に設けられ、該プレート部材の軸方向にスライド可能に配置されたピンであることを特徴とする（１）乃至（３）のいずれか一項に記載のチェーン。
（５）前記プレート部材の端部を該プレート部材を連結する回動軸から突出させて、該回動軸の前後のスプロケット歯にプレート部材を接触させることにより、スプロケットからのチェーンの脱落を防止することを特徴とする（１）乃至（４）のいずれか一項に記載のチェーン。
（６）（１）乃至（５）のいずれか一項に記載のチェーンをモータで駆動するスプロケットに巻き付けて搬送することを特徴とする連続搬送装置。
【発明の効果】
【００１０】
本発明によれば、搬送物を吊り上げるスリングや水平搬送など種々の用途に用いるチェーンにおいて、簡便な構造で曲がり度合いを安定して規制することができるので多様なチェーン形状を実現できるうえ、搬送物がよじれないで安全な作業を行うことができ、しかもチェーンを構成するプレート部材の破損を防止することができるチェーンおよびそれを用いた連続搬送装置を提供することができ、具体的には下記のような産業上有用な著しい効果を奏する。
1)プレート部材の横断面における外側もしくは内側に該プレート部材の軸方向にスライドする固定部材を配置し、前記固定部材が一方向にスライドして前記プレート部材同士を固定すると一定範囲以上曲がらない一方で、前記固定部材が他方向にスライドして前記プレート部材同士を開放すると自由に曲げることができる。
2)プレート部材の横断面をリブおよび／またはビートを有する平板状、円形状、Ｕ字状、Ｖ字状のいずれかとすることにより曲げ強度を向上させることができるうえ、チェーンの軽量化が実現できる。
3)固定部材をプレート部材の横断面における外側に設け、該プレート部材の軸方向にスライド可能に配置されたソケットを用いることにより、ソケットが自重によりスライドしてプレート部材同士を固定したり開放したりすることができる。
4)固定部材をプレート部材の横断面における内側に設け、該プレート部材の軸方向にスライド可能に配置されたピンを用いることにより、ピンが自重によりスライドしてプレート部材同士を固定したり開放したりすることができる。
5)プレート部材の端部を該プレート部材の回動軸から突出させて、該回動軸の前後のスプロケット歯にプレート部材を接触させることにより、スプロケットからのチェーンの脱落を防止することができる。
6)前記のチェーンを用いてチェーンをモータで駆動するスプロケットに巻き付けて搬送することにより連続搬送装置を実現することができる。
【発明を実施するための最良の形態】
【００１１】
発明を実施するための最良の形態について図１乃至図２０を用いて詳細に説明する。
【００１２】
図１乃至図８は、本発明における第１の実施形態のチェーンを示す図である。
【００１３】
図１乃至図８において、１はプレート部材（板状）、１´はビート、２は回動軸(ピン)、２´は割ピン、３は固定部材（ソケット）、３´は凹凸面、４はリブ、５はプレート部材（Ｖ字状）、１１はプレート部材（パイププレート）、１２はリブ、１２´は差込部、１３はスリット、１６は搬送ローラー、１８は搬送用スプロケットを示す。
【００１４】
本発明における第１の実施形態のチェーンは、複数のプレート部材1を回動自在に連結したチェーンであって、
前記プレート部材1の横断面における外側（もしくは内側）に該プレート部材の軸方向にスライドする固定部材3を配置し、前記固定部材３が一方向にスライドして前記プレート部材１同士を固定すると一定範囲以上曲がらない一方で、前記固定部材3が他方向にスライドして前記プレート部材1同士を開放すると自由に曲がることを特徴とする。
【００１５】
図1は本発明の第１の実施形態のチェーンの構造を説明する図であり、図1（a）は固定部材がプレート部材を開放した状態、図１(b)は固定部材がプレート部材を固定した状態、図１(c)は固定部材がプレート部材を固定した状態で曲げた状態を示す。
【００１６】
図１(a)に示すように、プレート部材１は回動軸2によって回動自在に連結されておりこの状態では自由に曲がるので回動軸（ピン）を中心とした小さな曲率半径（ｒ）の軌道を作ることができ、回動軸以外の方向には曲がらないので荷物の搬送時によじれる心配がない。
【００１７】
一方、例えばプレート部材１の外周に軸方向にスライドするソケットからなる固定部材3を配置することによって、ソケットが自重によりスライドして図1（ｂ）のようにプレート部材１同士の連結部を固定するとチェーンは自由に変形することができなくなり、図1（ｃ）に示すように、ソケット3とプレート部材1との隙間により許容される範囲で曲がることによって大きな曲率半径（Ｒ）を作ることができる。
【００１８】
図２は、本発明に用いるプレート部材を連結した状態を示す図である。
【００１９】
図２に示すように、複数のプレート部材１を回動軸（ピン）により連結することによって一方向に自由に曲がるチェーンにすることができる。
【００２０】
図３は、本発明に用いるプレート状のプレート部材を例示する図であり(a)は側面図、(b)は斜視図である。
【００２１】
図３に示すようなプレート状のプレート部材1を用いることにより、ねじれにくいチェーンを実現できるうえ、図３に示すようにプレート部材1の短部にリブ４を設けることにより、一定範囲以上曲がらないようにストッパーの役割を果たすことができるうえ、断面剛性を高めることができる。
【００２２】
図４は、本発明に用いるプレート状のプレート部材の断面にビートを設けた実施例を示す図である。
【００２３】
図４（a）、（ｂ）に示すようにプレート状のプレート部材の断面にビート１´を設けることにより断面剛性を著しく向上させることができる。
【００２４】
図５は、直方体のソケットからなる固定部材を例示する図であり図５（a）は内面に凹凸を有する例、図５(b)は内面に凹凸を有しない例、図５(c)は側面図を示す。
【００２５】
図５（a）に示すように、ソケットの内面に凹凸を設けることにより、ソケット３のプレート部材１からのスライドにブレーキをかけることができる。
【００２６】
図６〜図８は、パイプを押しつぶしたパイププレートからなるプレート部材を用いたチェーンを例示する図である。
【００２７】
図６に示すように、パイプを押しつぶしてプレート状にしたプレート部材１１を用いることにより、断面剛性の高いチェーンを実現することができる。
【００２８】
パイププレート１１の端部にリブ１２を設けることにより断面剛性を高めることができるうえ、一定範囲以上曲がらないようにストッパーとしての役割を果たすことができる。
【００２９】
また、パイププレート１１の端部を該パイププレート１１を連結する回動軸２から突出させて、該回動軸２の前後のスプロケット歯にプレート部材を接触させることにより、スプロケットのスライドにブレーキをかけることができる。
具体的には、図２０に示すように、プレート部材１の端末を長く残した位置にプレート接続穴（回動軸２）を設けて、この穴にピンを差込んでプレート同士を接続し、搬送用スプロケット１８によりチェーンを駆動して搬送する際にチェーンが横方向の力を受けても、回動軸２の前後のスプロケット歯にチェーンが接触した状態で回転するためスプロケットの歯からチェーンが外れない。この構造は、プレート部材１がパイププレート１１以外の板状、円形状、Ｕ字状、Ｖ字状のいずれの場合でも有効である。
【００３０】
また、パイププレート１１の端部に差込部１２´を設けることにより、この差込部１２´を隣接するパイププレート１１の端部に設けられたスリットに差込み、ソケット３と勘合させることによって、パイププレート１１をしっかりと固定することができる。
【００３１】
ない、図６(a)に示すように、ソケットの内面に凹凸３´を設けることによりソケット３が簡単にスリップしないようにすることができる。
【００３２】
図７は、パイププレートに用いるパイプ状のソケットを例示する図である。
【００３３】
図７(a)に示すように、ソケットの内面に凹凸３´を設けることによりソケット３が簡単にスリップしないようにすることができる。
【００３４】
図８は、パイププレートをプレート部材として用いたチェーンの使用状態を示す図である。
【００３５】
図８に示すように、複数のパイププレートを回動軸２により連結して閉ループを形成し、この閉ループの上側ではソケット３がパイププレート１１の連結部から外れて自由に曲がるので、搬送用スプロケット１８に巻きついて小さな曲率半径（ｒ）を形成する。
【００３６】
一方、閉ループの下側ではソケット３が自重により軸方向にスライドしてパイププレート１１の連結部を固定することにより、パイププレート１１がソケット３との隙間により許容される範囲以上に曲がらないので大きな曲率半径（Ｒ）を形成することができる。
【００３７】
図9乃至図１１は、本発明における第２の実施形態のチェーンを示す図である。
【００３８】
図9乃至図１１において、１はプレート部材（板状）、２は回動軸(ピン)、２´は割ピン、８は固定部材（平形ピン）、８´はスリット、８´´は凹凸面、９はリブ、１４は搬送用アーム、１５は吊具接続リング、１６は搬送ローラー、１８はスプロケット、４２はワッシャーを示す。
【００３９】
本発明における第２の実施形態のチェーンは、前記固定部材8が、前記プレート部材1の横断面における内側に設けられ、該プレート部材1の軸方向にスライド可能に配置された平形ピン８であることを特徴とする。
【００４０】
図9に示すように、複数の板状のプレート部材１を回動軸（ピン）２で連結するとともに、該プレート部材1の横断面における内側に固定部材として平形ピン８を用いることにより、平形ピン８が自重により一方向に移動して隣り合うプレート部材１の連結部に来るとプレート部材１同士が固定されて回動できなくなる一方で、平形ピン８が自重により他方に移動してプレート部材１同士を開放すると自由に回動し曲げることができるうえ、回動軸以外の方向には曲がらないので荷物の搬送時によじれる心配がない。
【００４１】
なお、プレート部材1を板状として端部にリブ９を設けることによってプレート部材1の断面剛性を高めることができるうえ、このリブによって形成される横断面の内側に平形ピン８を配置することが好ましい。
【００４２】
図１０は、本実施形態に用いる平形ピン８の構造を例示する図である。
【００４３】
図１０（a）に示すように平形ピン８にスリット８´を設け、このスリット８´に回動軸(ピン)２を勘合させることにより、平形ピン８の脱落を防止するとともに、ピン8の移動範囲を規制することができる。
【００４４】
図１０（ｂ）は平形ピン８の外面は滑らかであるが、図１０（a）に示すように平形ピン８の外面に凹凸８´´を設けることにより、平形ピン８がプレート部材1を固定しているときにスリップを防止することができる。
【００４５】
図１０（ｃ）〜（ｆ）は本実施形態に用いるプレート部材1の内側に平形ピン８を配置する手順を示す図である。
【００４６】
図１１は、本実施形態に用いるプレート部材1および平形ピンの横断面を例示する図である。
【００４７】
図１１（a）に示すように、回動軸２に搬送ローラー１６および割ピン２´を設けることにより荷物の搬送に供することができる。
【００４８】
また、図１１（ｂ）に示すように、プレート部材１に搬送用アーム１４を取り付け、この搬送用アーム１４に搬送ローラー１６および吊具接続リング１５を設けることにより荷物の搬送に供することができる。
【００４９】
図１２乃至図１４は、本発明における第３の実施形態のチェーンを示す図である。
【００５０】
図１２乃至図１４において、２は回動軸(ピン)、２´は回動ピンの抜け止め用の割ピン、４はリブ、５はプレート部材（Ｖ字状）、６は固定部材（棒状ピン）、７はストッパー、１４は回動ピンの兼用搬送用アーム、１５は吊具接続リング、１６は搬送ローラー、１７は荷物取付装置、１８は搬送用スプロケットを示す。
【００５１】
本発明における第３の実施形態のチェーンは、前記固定部材8が、前記プレート部材1の横断面における内側に設けられ、該プレート部材1の軸方向にスライド可能に配置された棒状ピン６であることを特徴とする。
【００５２】
図１２は、断面がＶ字状のプレート部材を連結したチェーンを例示する図であり（a）は斜視図、および（b）は側面図である。
【００５３】
図１２に示すように、複数のＶ字状のプレート部材５を回動軸（ピン）２で連結するとともに、該プレート部材５の横断面における内側に固定部材として棒状ピン６を用いることにより、棒状ピン６が自重により一方向に移動して隣り合うプレート部材５の連結部に来るとプレート部材５同士が固定されて回動できなくなる一方で、棒状ピン６が自重により他方に移動してプレート部材５同士を開放すると自由に回動し曲げることができるうえ、回動軸以外の方向には曲がらないので荷物の搬送時によじれる心配がない。
【００５４】
なお、プレート部材５をＶ字状として端部をラップさせることによりリブ４を設けることによってプレート部材５が一定範囲以上曲がらないように回動範囲を規制することができるうえ、スプロケットを用いてチェーンを搬送する際にチェーンがスプロケットから外れにくくすることができる。
【００５５】
本実施形態に用いるプレート部材の断面形状はＶ字状であるがＵ字状にしてもよい。
【００５６】
また、プレート部材５の内面にストッパー７、７´を設けることにより、棒状ピン６の移動範囲を規制することができるうえ、棒状ピンが簡単に脱落しないようにすることができる。
【００５７】
図１３は、本実施形態に用いるプレート部材および棒状ピンの横断面を例示する図である。
【００５８】
図１３（a）に示すように、プレート部材１に搬送用アーム１４を取り付け、この搬送用アーム１４に搬送ローラー１６および吊具接続リング１５を設け、スプロケット１８によりチェーンを搬送することにより荷物の搬送に供することができる。
【００５９】
図１３（ｂ）は、Ｖ字形プレートの上部外側に、引掛外れ止めを設けたスライドソケット３の断面形状を示しており、プレート５の上部外側に引掛け外れ止めを設けている。
【００６０】
また、図１３（ｂ）に示すように、回動軸２に搬送ローラー１６および割ピン２´を設けることにより荷物の搬送に供することができる。
【００６１】
図１４は、Ｖ字状のプレート部材を用いたチェーンの使用状態を示す図である。
【００６２】
図１４に示すように、複数のＶ字状のプレート部材５を回動軸２により連結して閉ループを形成し、この閉ループの上側では棒状ピン6がプレート部材５の連結部から外れて自由に曲がるので、搬送用スプロケット１８に巻きついて小さな曲率半径（ｒ）を形成する。
【００６３】
一方、閉ループの下側では棒状ピン６が自重により軸方向にスライドしてプレート部材５の連結部を固定することにより、プレート部材５が棒状ピン６との隙間により許容される範囲以上に曲がらないので大きな曲率半径（Ｒ）を形成することができる。
【００６４】
本発明においてはプレート部材の材質は問わないが、簡単に曲がると本発明の効果を奏しないため、鉄などの金属や硬質の樹脂などが好ましい。
【００６５】
図１５乃至図１９は、本発明のチェーンを荷物の搬送や漁業に適用した実施例を示す図である。
【００６６】
図１５乃至図１９において、２は回動軸(ピン)、３は固定部材（ソケット）、５  はプレート部材（Ｖ字状）、６は固定部材（棒状ピン）、１４は搬送用アーム、１６  搬送ローラー、１８は搬送用スプロケット、１９はチェーン固定部材作動調整を兼ねたアジャストガイドローラー、１９´はフリーローラー、２０は支柱、２１はアーム、２２はアームスライドケース、２３はスプロケット取付部材、２４はウインチ、２４´はワイヤ、２５はモータ、２６はコントロールボックス、２７はボルト穴、２８は漁船、２９は海面、３０は水平搬送用荷物、３１は水平搬送用ボックス、３２は水平搬送用テーブル、３３はテーブル接続部を示す。
【００６７】
図１５は、本発明のチェーンを荷物の搬送に用いる場合の実施例を示す図である。
【００６８】
図１５に示すように本発明のチェーンは複数のプレート部材が回動軸（ピン）２で連結されて閉ループを形成し、この閉ループの下側では固定部材が自重によってスライドしてプレート部材同士を固定するため曲率半径（Ｒ）の大きい軌道を形成する一方で、閉ループの上半分では固定部材が自重によりスライドしてプレート部材同士が開放されるため、小さな曲率半径（ｒ）で曲げることができるため搬送用スプロケット１８に巻きつけて荷物を連続搬送することができる。
【００６９】
なお、搬送する荷物としては種々のものに対応することができ、例えば、搬送用アーム１４の上面に水平搬送用テーブル３２を接続部３３を介して連結し、その上に水平搬送用ボックス３１を設けて、その中に水平搬送用荷物３０を詰め込むこともできるうえ、図１５に示すように搬送用アーム１４に水平搬送用荷物３０を吊り下げて搬送することもできる。
【００７０】
なお、本発明のチェーンを用いて水平方向の閉ループを形成して搬送する場合には、ソケット３の自重によって移動させることができないため、バネを用いてソケット３を移動させることが好ましく、このバネの作動タイミングをコントロールするためにセンサー棒などを設け、このセンサー棒にチェーンの一部が接触することによりバネを作動させることができる。
【００７１】
図１６は、本発明のチェーンを荷物の漁業に用いる場合の実施例を示す図である。
【００７２】
図１６に示すように本発明のチェーンは複数のプレート部材が回動軸（ピン）２で連結されて閉ループを形成し、この閉ループの下側では固定部材が自重によってスライドしてプレート部材同士を固定するため曲率半径（Ｒ）の大きい軌道を形成する一方で、閉ループの上半分では固定部材が自重によりスライドしてプレート部材同士が開放されるため、小さな曲率半径（ｒ）で曲げることができるためアジャストガイドローラー１９により案内されながら送用スプロケット１８に巻きつけて荷物を搬送する連続搬送装置を実現することができる。
【００７３】
この連続搬送装置においては、アームスライドケース２２にアーム２１を差込み、このアーム２１を船内および船外にスライドさせて出し入れし、アームスライドケース２２を回転ピン２０´により上下に回転することにより、アーム２１のスライドによる出し入れ作業を円滑に行うことができるうえ、アーム２１とアームスライドケース２２にストッパーを設けることによりアーム２１が一定範囲以上スライドしないようにすることができる。
【００７４】
なお、本発明のチェーンを漁業に用いる場合には、漁船２８からチェーンを船外に繰り出す必要があるため、船上に柱２０を設け、この柱２０にアームスライドケース２２を取り付け、このアームスライドケースにアームを差込み、搬送用スプロケット１８およびアジャストガイドローラー１９を配置してチェーンを海面２９の下に送り出すことが好ましく、本発明のチェーンを用いることにより海面２９の下では大きな曲率半径（Ｒ）の枝糸のからみとよじれのない安定した形状のループを形成する一方で、海面２９の上では小さな曲率半径（ｒ）のループを形成することができる。
【００７５】
図１６における３８´は、チェーン収納予備ドラムであり、チェーン収納ドラム３８によりチェーンを巻き取りきれない場合に、予備的に用いるドラムであり、チェーン収納ドラム３８と同様の機能を有する。長尺チェーンを使用する場合に、収納ドラム３８の巻き出しエンドをチェーン収納予備ドラム３８´のドラムの上部に巻き終わりエンドと接続することによって、長尺チェーンを必要な長さだけ巻き出して使用することができる。なお、チェーンの長さによっては、チェーン収納予備ドラム３８´を複数台設けることが好ましい。
図１６において、５〜１との記載は、重量荷物の場合はプレート部材５を用い、軽量荷物の場合はプレート部材１を用いることを意味する。
【００７６】
図１７〜図１９は、本発明のチェーンを釣具の搬送に用いる実施例を示す図である。
【００７７】
図１７に示すように、本発明のチェーンに複数本の搬送用アーム１４を設けこのアーム１４に枝糸４０および釣針４１もしくは釣具を設け、この枝糸４０を複数本のアーム１４の上下の中間に間隔を置いて設けることによって、枝糸４１のからみを防止し、チェーン全体にこれを設け、チェーンをモータで駆動するスプロケットに巻き付けて搬送することにより釣具の連続搬送装置を実現することができる。
また、チェーンに設けたアーム１４に取り付けた枝糸４０にバネ等からなる枝糸伸縮部材４７を設けることにより、枝糸のたるみや、からみを防止することができる。
【００７８】
図１８は、末端に錘（ウェイト）を設けたエンドを有するチェーンを用いた釣具の搬送装置を例示する図である。
【００７９】
図１８において、１４はアーム、１８´´は側板、２５はモータ、２６はコントロールボックス、４０は枝糸（釣糸）、４０´はアームと枝糸の接続リング、５０は釣スリング、５１は釣スリングとアームの接続具、５２はウェイト、５３は収納ドラムロック装置を示す。
【００８０】
図１９に示すように、チェーンをスプロケット付巻取り巻き出し収納ドラム３８に設けてあるスプロケットに巻き付けて、このチェーンの末端を引掛けロック装置４４に引っ掛けてロックし巻き取り巻き出し収納ドラム３８の両側面に設けてある荷崩れ防止用側板に設けてあるロック止め装置４３によりチェーン巻き取り終了後の一端末をロック止めする。
【００８１】
このチェーンをエンドレスチェーンとして使用するときは側板に設けてある一端末ロック４４を外し収納ドラムで巻き出し終了後、収納ドラム３８に設けたスプロケットにチェーンの一端末のロック４４を外しこのチェーンの両端末を接続し収納ドラムに設けたスプロケットに引掛回転にてエンドレスチェーンとして使用することができる。
【００８２】
なお、図１７〜図１９のＧＭはチェーン搬送用のモータを示す。
【図面の簡単な説明】
【００８３】
【図１】本発明における第１の実施形態のチェーンの構造を説明する図である。
【図２】本発明に用いるプレート部材を連結した状態を示す図である。
【図３】本発明に用いるプレート状のプレート部材を例示する図である。
【図４】本発明に用いるプレート状のプレート部材の断面にビートを設けた実施例を示す図である。
【図５】直方体のソケットからなる固定部材を例示する図である。
【図６】パイプを押しつぶしたパイププレートからなるプレート部材を用いたチェーンを例示する図である。
【図７】パイププレートに用いるパイプ状のソケットを例示する図である。
【図８】パイププレートをプレート部材として用いたチェーンの使用状態を示す図である。
【図９】本発明における第２の実施形態のチェーンを示す図である。
【図１０】本発明の第２の実施形態の平形ピン８の構造を例示する図である。
【図１１】本発明の第２の実施形態に用いるプレート部材1および平形ピンの横断面を例示する図である。
【図１２】断面がＶ字状のプレート部材を連結したチェーンを例示する図である。
【図１３】本発明における第３の実施形態に用いるプレート部材および棒状ピンの横断面を例示する図である。
【図１４】Ｖ字状のプレート部材を用いたチェーンの使用状態を示す図である。
【図１５】本発明のチェーンを荷物の搬送に用いる実施例を示す図である。
【図１６】本発明のチェーンを荷物の漁業に用いる実施例を示す図である。
【図１７】本発明のチェーンを釣具の搬送に用いる実施例を示す図である。
【図１８】本発明のチェーンを釣具の搬送に用いる実施例を示す図である。
【図１９】本発明のチェーンを釣具の搬送に用いる実施例を示す図である。
【図２０】本発明のチェーンの好ましい実施形態を示す図である。
【符号の説明】
【００８４】
１    プレート部材（板状）
１´  ビート
２    回動軸(ピン)
２´  割ピン
３    固定部材（ソケット）
３´  凹凸面
４    リブ
５    プレート部材（Ｖ字状）
６    固定部材（棒状ピン）
７、７´  ストッパー
８    固定部材（平形ピン）
８´スリット
８´´凹凸面
９    リブ
１１  プレート部材（パイププレート）
１２  リブ
１２´差込部
１３  スリット
１４  搬送用アーム
１５  吊具接続リング
１６  搬送ローラー
１７  荷物取付装置
１８  搬送用スプロケット
１８´フリースプロケット
１８´´収納ドラム側板
１９  アジャストガイドローラー
１９´フリーローラー
２０  支柱
２０´回転ピン
２１  アーム
２２  アームスライドケース
２３  スプロケット取付部材
２４  ウインチ
２４´ワイヤ
２５  モータ
２６  コントロールボックス
２７  ボルト穴（ガイドトヨ取付穴）
２８  漁船
２９  海面
３０  水平搬送用荷物
３１  水平搬送用ボックス
３２  水平搬送用テーブル
３３  テーブル接続部
３５  ガイドローラー収納ケース
３５´伸縮バネ
３６  伸縮ローラー軸
３８  チェーン収納ドラム
３８´チェーン収納予備ドラム
３９  チェーン収納ドラム回転軸
４０  枝糸
４０´枝糸取付リング
４１  いか釣り針
４２  ワッシャー
４３  チェーンロック止め装置
４４  チェーンロック装置
４５  吊ロープ
４６  ガイドトヨ
４７  枝糸収縮部材（バネ）
５０  チェーン
５１  アーム
５２  錘（ウェイト）
５３  スプロケットもしくはフック
ＧＭ  モータ
【図１】
2008285288.tif 000003
【図２】
2008285288.tif 000004
【図３】
2008285288.tif 000005
【図４】
2008285288.tif 000006
【図５】
2008285288.tif 000007
【図６】
2008285288.tif 000008
【図７】
2008285288.tif 000009
【図８】
2008285288.tif 000010
【図９】
2008285288.tif 000011
【図１０】
2008285288.tif 000012
【図１１】
2008285288.tif 000013
【図１２】
2008285288.tif 000014
【図１３】
2008285288.tif 000015
【図１４】
2008285288.tif 000016
【図１５】
2008285288.tif 000017
【図１６】
2008285288.tif 000018
【図１７】
2008285288.tif 000019
【図１８】
2008285288.tif 000020
【図１９】
2008285288.tif 000021
【図２０】
2008285288.tif 000022